(57)【要約】【課題】収納サイズをより小さくするととともに、収納時の作業性を向上した携帯用掃除機を提供する。【解決手段】掃除機本体１０の吸込み口３１に装着される延長管４０の長手方向の所定位置には、延長管４０を折り曲げ可能に接続するヒンジ部５０が設けられており、ヒンジ部５０により折り曲げられた延長管４０の先端に装着された床用ノズル６０の端部は、長手方向において掃除機本体１０の後端位置に達している。【選択図】  図６
2016043208.tif 000002
【特許請求の範囲】
【請求項１】
グリップ部を有するハウジングと、前記ハウジングに収容される電動送風機と、前記ハウジングの先端に設けられる吸込み口と、を備える掃除機本体と、
前記吸込み口に装着される延長管と、
前記延長管の先端に装着される床用ノズルと、を備える携帯用掃除機において、
前記延長管の長手方向の所定位置には、前記延長管を折り曲げ可能に接続するヒンジ部が設けられており、
前記ヒンジ部により折り曲げられた前記延長管の先端に装着された前記床用ノズルの端部は、長手方向において前記掃除機本体の後端位置に達していることを特徴とする携帯用掃除機。  
【請求項２】
前記吸込み口を上方にして縦置きした時に、前記掃除機本体の後端と前記床用ノズルの端部が載置面に接触することにより自立可能としたことを特徴とする請求項１に記載の携帯用掃除機。
【請求項３】
前記ヒンジ部により折り曲げられた前記延長管は、前記掃除機本体の側面に沿うことを特徴とする請求項１又は２に記載の携帯用掃除機。
【請求項４】
前記ヒンジ部により折り曲げられた前記延長管の折り曲げ状態を維持するための係止部が設けられたことを特徴とする請求項１〜３のいずれか一項に記載の携帯用掃除機。
【発明の詳細な説明】
【技術分野】
【０００１】
本発明は、掃除機本体に延長管を装着して使用する携帯用掃除機に関する。
【背景技術】
【０００２】
従来から、グリップ部を有するハウジングに電動送風機が収容され、この電動送風機の運転によりハウジングの先端に設けられた吸込み口から吸い込まれた粉塵等をハウジング内の集塵室に設置された紙パック等に貯めるように構成された携帯用掃除機が知られている。この種の携帯用掃除機には、作業性を向上するために、吸込み口に接続される延長管が備えられているのが一般的である。
【０００３】
この種の携帯用掃除機を収納するときは、延長管を吸込み口から取り外すことで長手方向の収納サイズを小さくすることができる。たとえば、下記特許文献１には、吸込み口から取り外した延長管をフック部の係合により掃除機本体の側部に一定の隙間がある状態で略平行に取り付けることで、長手方向の収納サイズを小さくするとともに、掃除機本体の端部と延長管に装着された床用ノズル（引用文献１においては「吸込口体」）とを載置面に接触させることで、自立状態での縦置き収納が可能な携帯用掃除機に関する発明が記載されている。
【先行技術文献】
【特許文献】
【０００４】
【特許文献１】実開昭６２−１０９０４８号公報
【発明の概要】
【発明が解決しようとする課題】
【０００５】
ところが、上述の特許文献１に記載される携帯用掃除機においては、長手方向の収納サイズが床用ノズルを装着した延長管の長さとなり、これ以上長手方向の収納サイズを小さくすることが困難であった。また、上述の特許文献１に記載される携帯用掃除機においては、収納する際は、延長管を吸込み口から取り外したのち、さらにフック部を係合させることが必要であり、作業が煩雑であった。
【０００６】
本発明は、上述した課題の存在に鑑みてなされたものであって、その目的は、収納サイズをより小さくするととともに、収納時の作業性を向上した携帯用掃除機を提供することである。
【課題を解決するための手段】
【０００７】
本発明に係る携帯用掃除機は、グリップ部を有するハウジングと、前記ハウジングに収容される電動送風機と、前記ハウジングの先端に設けられる吸込み口と、を備える掃除機本体と、前記吸込み口に装着される延長管と、前記延長管の先端に装着される床用ノズルと、を備える携帯用掃除機であって、前記延長管の長手方向の所定位置には、前記延長管を折り曲げ可能に接続するヒンジ部が設けられており、前記ヒンジ部により折り曲げられた前記延長管の先端に装着された前記床用ノズルの端部は、長手方向において前記掃除機本体の後端位置に達していることを特徴とする。
【０００８】
また、本発明に係る携帯用掃除機は、前記吸込み口を上方にして縦置きした時に、前記掃除機本体の後端と前記床用ノズルの端部が載置面に接触することにより自立可能とすることができる。
【０００９】
さらに、本発明に係る携帯用掃除機は、前記ヒンジ部により折り曲げられた前記延長管は、前記掃除機本体の側面に沿うように構成することができる。
【００１０】
さらにまた、本発明に係る携帯用掃除機は、前記ヒンジ部により折り曲げられた前記延長管の折り曲げ状態を維持するための係止部を設けることができる。
【発明の効果】
【００１１】
本発明によれば、収納サイズをより小さくするととともに、収納時の作業性を向上した携帯用掃除機を提供することができる。
【図面の簡単な説明】
【００１２】
【図１】本実施形態に係る携帯用掃除機の掃除機本体の縦断面図である。
【図２】本実施形態に係る携帯用掃除機の縦断面図である。
【図３】図２のヒンジ部の拡大図である。
【図４】ヒンジ部の動作を説明するための図３に相当する図であり、嵌合を解除した状態を示している。
【図５】ヒンジ部の動作を説明するための図３に相当する図であり、折り曲げ途中の状態を示している。
【図６】本実施形態に係る携帯用掃除機を縦置き収納した状態を示す縦断面図である。
【図７】別の実施形態に係る携帯用掃除機の縦断面図である。
【図８】別の実施形態に係る携帯用掃除機を縦置き収納した状態を示す縦断面図である。
【図９】本実施形態に係る携帯用掃除機の掃除機本体を縦置き収納した状態を示す縦断面図である。
【図１０】さらに別の実施形態に係る携帯用掃除機を縦置き収納した状態を示す縦断面図である。
【発明を実施するための形態】
【００１３】
以下、本発明を実施するための好適な実施形態について図を用いて説明する。なお、以下の実施形態は、各請求項に係る発明を限定するものではなく、また、実施形態の中で説明されている特徴の組み合わせの全てが発明の解決手段に必須であるとは限らない。
【００１４】
まず、図１および図２を参照して本実施形態に係る携帯用掃除機の基本構造について説明する。
【００１５】
図１は本実施形態に係る携帯用掃除機の掃除機本体の縦断面図であり、図２は本実施形態に係る携帯用掃除機の縦断面図である。
【００１６】
本発明の本実施形態に係る携帯用掃除機１の掃除機本体１０は、後方上部にグリップ部１２が一体的に形成されたハウジング１１と、ハウジング１１の前端に設けられた略筒形状の吸込み口３１とを備えている。吸込み口３１は、ハウジング１１から前方へ突出して設けられており、その先端は斜め形状に形成されている。ハウジング１１の内部中央にはモータ２１とファン２２とを有する電動送風機２０が配置されている。電動送風機２０の前側には、不図示の紙パック等が設置される集塵室１３が形成されており、集塵室１３に吸込み口３１の後端が接続されている。集塵室１３の上方には、紙パック等を交換するための開閉式の蓋１４が設置されている。
【００１７】
グリップ部１２の前側上面には、電動送風機２０の運転操作を行うためのスイッチ２３が配置されている。ハウジング１１の後方下部には駆動電源としてのバッテリ２４が収容されており、ハウジング１１の後端に設置されたカバー部材１５を取り外すことで取り出して交換することが可能となっている。カバー部材１５の後端１６は長手方向である前後方向の軸線に対して垂直な面として形成されている。モータ２１の下方におけるハウジング１１の側面（下面）には係止凹部１７が形成されている。
【００１８】
吸込み口３１の先端側には、図２に示すように、延長管４０が前方に突出して装着されている。具体的には、延長管４０の基端部４１を吸込み口３１に挿嵌することで装着されている。延長管４０の先端側には床用ノズル６０が前方に突出して装着されている。具体的には、床用ノズル６０の接続部６１を延長管４０の先端部４２に挿嵌することで装着されている。なお、床用ノズル６０は、吸込み口３１に直接装着することも可能である。
【００１９】
本実施形態に係る携帯用掃除機１の延長管４０は、長手方向の所定位置に延長管４０を折り曲げ可能に接続するヒンジ部５０が設けられている。そこで、図３〜図６を参照図に加えて、ヒンジ部５０について説明する。
【００２０】
ここで、図３は図２のヒンジ部の拡大図である。図４はヒンジ部の動作を説明するための図３に相当する図であり、嵌合を解除した状態を示している。図５はヒンジ部の動作を説明するための図３に相当する図であり、折り曲げ途中の状態を示している。図６は本実施形態に係る携帯用掃除機を縦置き収納した状態を示す縦断面図である。
【００２１】
本実施形態に係る携帯用掃除機１の延長管４０は、長手方向で２分割された基本構成であり、吸込み口３１に装着される基端側延長管４３と、基端側延長管４３とヒンジ部５０により折り曲げ可能に接続される先端側延長管４４とを備えている。基端側延長管４３の基端部４１の外周面には、図３によく示されるように、長手方向に延びる突条部４３ａが形成されている。また、吸込み口３１の内周面には、突条部４３ａが嵌る溝３１ａが形成されている。この構成により、基端側延長管４３の基端部４１を吸込み口３１に挿嵌する場合、突条部４３ａと溝３１ａの位置を一致させることになるので、基端側延長管４３と吸込み口３１、すなわち、延長管４０と掃除機本体１０とは常に一定の位置関係で装着されることになる。
【００２２】
ヒンジ部５０は、基端側延長管４３の先端側に形成され、長手方向に延びる長孔４５ａが形成された一対の支持部４５と、先端側延長管４４の基端側に形成され、一対の支持部４５の間に配置されるとともに、長孔４５ａ，４５ａに挿通する支軸４６が設けられた突部４７とを備えている。先端側延長管４４の基端側には、基端側延長管４３の先端側に挿嵌することで、基端側延長管４３と先端側延長管４４とを接続する嵌合筒部４８が所定の長さで形成されている。また、先端側延長管４４の先端側の下面には、延長管４０をヒンジ部５０により折り曲げた時に、ハウジング１１の下面に形成された係止凹部１７に弾性係止可能な係止凸部４９が形成されている。
【００２３】
次に、延長管４０をヒンジ部５０により折り曲げる工程について説明する。
【００２４】
延長管４０をヒンジ部５０により折り曲げる工程は、まず、図４に示されるように、先端側延長管４４を前方に移動させて、基端側延長管４３への嵌合筒部４８の挿嵌状態を解除する。このとき、支軸４６は長孔４５ａ，４５ａ内を前方に移動することになる。次に、図５に示されるように、先端側延長管４４を、支軸４６を中心として下方へ回転させて折り曲げる。そして、さらに折り曲げていくと、先端側延長管４４は掃除機本体１０の側面である下面に沿う位置に近づく。このとき、係止凸部４９が係止凹部１７の位置と合うように、先端側延長管４４の長手方向位置を調整し、係止凸部４９が係止凹部１７の位置に合ったところで先端側延長管４４を掃除機本体１０の側面（下面）に接近する方向へ押圧することで、係止凹部１７に係止凸部４９が弾性係止する（図６参照）。この弾性係止により、先端側延長管４４の掃除機本体１０の側面（下面）に沿った折り曲げ状態が維持されることになる。また、この状態においては、先端側延長管４４と基端側延長管４３は略平行に配置されており（すなわち、先端側延長管４４は約１８０度回転している）、先端側延長管４４の先端部に装着された床用ノズル６０の端部は、掃除機本体１０の後端であるカバー部材１５の後端１６の長手方向位置に達している。これにより、床用ノズル６０と後端１６の長手方向位置は略一致しているので、図６に示すように、床面等の載置面ＦＬに、カバー部材１５の後端１６と床用ノズル６０の端部とを接触させた状態で自立させることが可能となる。
【００２５】
本発明の本実施形態に係る携帯用掃除機１においては、上述のように構成したことで、長手方向の収納サイズを、床用ノズル６０を装着した先端側延長管４４の長さ程度にすることができる。すなわち、従来の携帯用掃除機の場合と比較して、長手方向の収納サイズを基端側延長管４３の長さ程度小さくすることが可能となる。
【００２６】
また、収納時に延長管４０を掃除機本体１０から取り外す必要がないので、作業性がよい。さらに、延長管４０を紛失するおそれがなくなる。
【００２７】
また、延長管４０をヒンジ部５０により折り曲げた状態で自立させることが可能なので、縦置き収納することができて便利である。
【００２８】
さらに、上述のように、折り曲げられた床用ノズル６０を装着した先端側延長管４４は、掃除機本体１０の側面（下面）に沿った状態となるので、縦置き収納した時の設置面積を小さくすることができる。
【００２９】
なお、本実施形態に係る携帯用掃除機１の掃除機本体１０においは、図９に示すように、掃除機本体１０単体でも、床面等の載置面ＦＬにカバー部材１５の後端１６を接触させた状態で自立できる構成となっている。このような掃除機本体１０を備える携帯用掃除機１においても、延長管４０を上述のように構成することで、自立状態をより安定させることが可能である。
【００３０】
次に、本発明の別の実施形態に係る携帯用掃除機ついて、図７および図８を参照して説明する。
【００３１】
ここで、図７は別の実施形態に係る携帯用掃除機の縦断面図である。図８は別の実施形態に係る携帯用掃除機を縦置き収納した状態を示す縦断面図である。なお、以下の説明においては、上述の実施形態と同じ構成については、説明を省略している。
【００３２】
本発明の別の実施形態に係る携帯用掃除機１００は、吸込み口３１の先端側には、延長管１４０が前方に突出して装着されている。具体的には、延長管１４０の基端部１４１を吸込み口３１に挿嵌することで装着されている。延長管１４０の先端側には床用ノズル６０が前方に突出して装着されている。具体的には、床用ノズル６０の接続部６１を延長管１４０の先端部１４２に挿嵌することで装着されている。
【００３３】
延長管１４０は、長手方向の所定位置に延長管１４０を折り曲げ可能に接続するヒンジ部１５０が設けられている。
【００３４】
延長管１４０は、長手方向で２分割された基本構成であり、吸込み口３１に装着される基端側延長管１４３と、基端側延長管１４３とヒンジ部１５０により折り曲げ可能に接続される先端側延長管１４４とを備えている。
【００３５】
ヒンジ部１５０は、基端側延長管１４３の先端側に形成され、孔１４５ａが穿設された一対の支持部１４５と、先端側延長管１４４の基端側に形成され、一対の支持部１４５の間に配置されるとともに、孔１４５ａ，１４５ａに挿通する支軸１４６が設けられた突部１４７とを備えている。基端側延長管１４３の先端側の支持部１４５の反対側には、後述する被係止部１４９の係止可能な係止爪１４８が配置されている。係止爪１４８は、図８に示すように、先端側に形成された爪部１４８ａと、後端側に形成された押圧操作部１４８ｂと、爪部１４８ａと押圧操作部１４８ｂとの間に穿設された孔１４８ｃとを有しており、孔１４８ｃが基端側延長管１４３に支持された支点軸１５１に嵌合することで揺動可能に設置されている。押圧操作部１４８ｂと基端側延長管１４３の外周面との間には、係止爪１４８を、支点軸１５１を中心として反時計回りの方向に付勢するバネ１５２が配置されている。先端側延長管１４４の突部１４７の反対側外周面には係止爪１４８の爪部１４８ａが係止可能な被係止部１４９が突設されている。なお、被係止部１４９へ係止爪１４８が係止した状態では、基端側延長管１４３と先端側延長管１４４とは直線状に配置されており、基端側延長管１４３の先端面と先端側延長管１４４の基端面は密着している。
【００３６】
掃除機本体１０の下面には、先端側延長管１４４を弾性挟持可能な係止部としてのクリップ部材１５３が配置されている。
【００３７】
次に、延長管１４０をヒンジ部１５０により折り曲げる工程について説明する。
【００３８】
延長管１４０をヒンジ部１５０により折り曲げる工程は、まず、係止爪１４８の押圧操作部１４８ｂをバネ１５２の付勢力に抗して押圧して、係止爪１４８の被係止部１４９への係止状態を解除する。次に、先端側延長管１４４を、支軸１４６を中心として下方へ回転させるように折り曲げる。そして、先端側延長管１４４を掃除機本体１０の側面である下面に配置されたクリップ部材１５３に押し込んで弾性挟持により係止させる。この係止により、先端側延長管１４４の掃除機本体１０の側面（下面）に沿った折り曲げ状態が維持されることになる。また、この状態においては、先端側延長管１４４と基端側延長管１４３は略平行に配置されており（すなわち、先端側延長管１４４は約１８０度回転している）、先端側延長管１４４の先端部に装着された床用ノズル６０の端部は、掃除機本体１０の後端であるカバー部材１５の後端１６の長手方向位置に達している。これにより、床用ノズル６０と後端１６の長手方向位置は略一致しているので、図８に示すように、床面等の載置面ＦＬに、カバー部材１５の後端１６と床用ノズル６０の端部とを接触させた状態で自立させることが可能となる。
【００３９】
本発明の別の実施形態に係る携帯用掃除機１００においては、上述のように構成したことで、長手方向の収納サイズを、床用ノズル６０を装着した先端側延長管１４４の長さ程度にすることができる。すなわち、従来の携帯用掃除機の場合と比較して、長手方向の収納サイズを基端側延長管１４３の長さ程度小さくすることができる。
【００４０】
また、収納時に延長管１４０を掃除機本体１０から取り外す必要がないので、作業性がよい。さらに、延長管１４０を紛失するおそれがなくなる。
【００４１】
また、上述のように、延長管１４０をヒンジ部１５０により折り曲げた状態で自立させることが可能なので、縦置き収納することができて便利である。
【００４２】
さらに、上述のように、折り曲げられた床用ノズル６０を装着した先端側延長管１４４は、掃除機本体１０の側面（下面）に沿った状態となるので、縦置き収納した時の設置面積を小さくすることができる。
【００４３】
以上、本発明の好適な実施形態について説明したが、本発明の技術的範囲は上記実施形態に記載の範囲に限定さない。上記実施形態には、多様な変更又は改良を加えることが可能である。
【００４４】
たとえば、上記実施形態に係る携帯用掃除機１，１００おいては、吸込み口３１は、掃除機本体１０のハウジング１１から前方に突出して設けられていたが、この構成に限定されない。例えば、図１０に示すように、吸込み口２３１は、掃除機本体２１０のハウジング２１１から前方に突出しない形態として設けてもよい。なお、ここで、図１０は、さらに別の実施形態に係る携帯用掃除機を縦置き収納した状態を示す縦断面図であり、吸込み口２３１以外の構成については、上述の別の実施形態に係る携帯用掃除機と同様である。
【００４５】
また、たとえば、上記実施形態に係る携帯用掃除機１，１００おいては、駆動電源は、ハウジング１１に収容されたバッテリ２４としたが、この構成に限定されない。たとえば、電源コードを介して給電される商用電源を駆動電源としてもよい。また、たとえば、バッテリをカートリッジ式としてもよい。
【符号の説明】
【００４６】
１  携帯用掃除機、１０  掃除機本体、１１  ハウジング、１２  グリップ部、１３  集塵室、１４  蓋、１５  カバー部材、１６  後端、１７  係止凹部、２０  電動送風機、２１  モータ、２２  ファン、２３  スイッチ、２４  バッテリ、３１  吸込み口、３１ａ  溝、４０  延長管、４１  基端部、４２  先端部、４３  基端側延長管、４３ａ  突条部、４４  先端側延長管、４５  支持部、４５ａ  長孔、４６  支軸、４７  突部、４８  嵌合筒部、４９  係止凸部、５０  ヒンジ部、６０  床用ノズル、６１  接続部、１００  携帯用掃除機、１４０  延長管、１４１  基端部、１４２  先端部、１４３  基端側延長管、１４４  先端側延長管、１４５  支持部、１４５ａ  孔、１４６  支軸、１４７  突部、１４８  係止爪、１４８ａ  爪部、１４８ｂ  押圧操作部、１４８ｃ  孔、１４９  被係止部、１５０  ヒンジ部、１５１  支点軸、１５２  バネ、１５３  クリップ部材、２１０  掃除機本体、２１１  ハウジング、２３１  吸込み口
【図１】
2016043208.tif 000003
【図２】
2016043208.tif 000004
【図３】
2016043208.tif 000005
【図４】
2016043208.tif 000006
【図５】
2016043208.tif 000007
【図６】
2016043208.tif 000008
【図７】
2016043208.tif 000009
【図８】
2016043208.tif 000010
【図９】
2016043208.tif 000011
【図１０】
2016043208.tif 000012